(57)【要約】  本発明は、自動車（１）内での配置用に構成されている自動車（１）用の蓄電池充電装置（３）に関しており、この装置（３）は、力率補正フィルタ（１４）を有する第１の段（１１）と、インバーター（１５）を有する第２の段（１２）とを備え、ここで、第１の段（１１）は、中間点（２０）を介して第２の段（１２）に電気的に接続されており、ここで、中間点（２０）は、直流電圧用の給電端子（２１）に直接電気的に接続されており、給電端子（２１）は、自動車（１）の高電圧搭載電源網（２）に直接電気的に結合するように構成されている。
2020529823.tif 000002
【特許請求の範囲】
【請求項１】
自動車（１）内での配置用に構成されている自動車（１）用の蓄電池充電装置（３）であって、
力率補正フィルタ（１４）を有する第１の段（１１）と、
インバーター（１５）を有する第２の段（１２）と
を備え、
前記第１の段（１１）は、中間点（２０）を介して前記第２の段（１２）に電気的に接続され、
前記中間点（２０）が、直流電圧（２３）用の給電端子（２１）に直接電気的に接続され、前記給電端子（２１）は、前記自動車（１）の高電圧搭載電源網（２）に直接電気的に結合するように構成されている
ことを特徴とする、蓄電池充電装置（３）。
【請求項２】
前記中間点（２０）は、前記第２の段（１２）の前記インバーター（１５）に直接電気的に接続されている、請求項１記載の蓄電池充電装置（３）。
【請求項３】
前記第２の段（１２）は、前記中間点（２０）とは反対側の当該第２の段（１２）側において出力端子（１９）に電気的に接続され、前記第２の段（１２）は、前記中間点（２０）と第１の電気的な直流電圧（２３）との結合中に、当該第１の電気的な直流電圧（２３）とは異なる第２の電気的な直流電圧（２４）を提供するように構成されている、請求項１または２記載の蓄電池充電装置（３）。
【請求項４】
前記第１の段（１１）は、前記中間点（２０）に関して前記力率補正フィルタ（１４）の手前に配置された整流器（１３）を有する、請求項１から３までのいずれか１項記載の蓄電池充電装置（３）。
【請求項５】
前記第２の段（１２）は、前記中間点（２０）に関して前記インバーター（１５）の後方に配置されたトランス（１６）を有し、かつ／または前記第２の段（１２）は、前記中間点（２０）に関して前記インバーター（１５）の後方に配置された整流器（１７）を有する、請求項１から４までのいずれか１項記載の蓄電池充電装置（３）。
【請求項６】
前記中間点（２０）とは反対側の前記第１の段（１１）側は、交流電圧用の充電端子（４）に電気的に接続されおり、前記交流電圧用の充電端子（４）は、自動車外部の交流電圧源（５）に直接電気的に接続されるように構成されている、請求項１から５までのいずれか１項記載の蓄電池充電装置（３）。
【請求項７】
前記第１の段（１１）および前記第２の段（１２）は、コンデンサ（１８）によって電気的に接続されており、前記中間点（２０）は、前記コンデンサ（１８）と前記第２の段（１２）との間に配置されている、請求項１から６までのいずれか１項記載の蓄電池充電装置（３）。
【請求項８】
前記第２の段（１２）は、３つの相を有しており、前記中間点（２０）は、前記３つの相のうちの１つにのみ電気的に接続されている、請求項１から７までのいずれか１項記載の蓄電池充電装置（３）。
【請求項９】
前記第２の段（１２）は、３つの相を有しており、前記中間点（２０）は、前記３つの相のうちの少なくとも２つに電気的に接続されている、請求項１から７までのいずれか１項記載の蓄電池充電装置（３）。
【請求項１０】
自動車（１）用の自動車側蓄電池充電装置（３）を動作させるための方法であって、
前記自動車（１）の高電圧搭載電源網（２）からの第１の電気的な直流電圧（２３）が、前記蓄電池充電装置（３）の給電端子（２１）において当該蓄電池充電装置（３）に結合され、中間点（２０）を介して前記蓄電池充電装置（３）の第２の段（１２）に転送され、
前記第１の電気的な直流電圧（２３）は、前記第２の段（１２）において、当該第１の電気的な直流電圧（２３）とは異なる第２の電気的な直流電圧（２４）に適合化される、方法。
【請求項１１】
請求項１から９までのいずれか１項記載の自動車側蓄電池充電装置（３）を備えている、自動車（１）用の高電圧搭載電源網（２）。
【請求項１２】
前記蓄電池充電装置（３）の給電端子（２１）は、前記高電圧搭載電源網の直流電圧用に構成された給電スイッチ（２２）に直接電気的に接続されている、請求項１１記載の高電圧搭載電源網（２）。
【請求項１３】
前記給電スイッチ（２２）は、前記高電圧搭載電源網（２）の高電圧蓄電池（６）に直接電気的に接続されている、請求項１２記載の高電圧搭載電源網（２）。
【請求項１４】
前記給電スイッチ（２２）は、前記高電圧搭載電源網（２）の少なくとも１つの高電圧負荷（９，１０，３４，３５）を有する高電圧搭載電源網分岐（３２）に直接電気的に接続されている、請求項１２記載の高電圧搭載電源網（２）。
【請求項１５】
蓄電池充電装置（３）の中間点に直接接続された前記蓄電池充電装置（３）の給電端子（２１）を介して前記蓄電池充電装置（３）に給電される直流電圧（２３）を変換するための直流電圧変換器としての自動車側蓄電池充電装置（３）の第２の段（１２）の使用であって、
前記中間点（２０）は、前記蓄電池充電装置（３）の前記第２の段（１２）と第１の段（１１）との間に配置されている、自動車側蓄電池充電装置（３）の第２の段（１２）の使用。
【発明の詳細な説明】
【技術分野】
【０００１】
本発明は、自動車用の蓄電池充電装置に関する。この蓄電池充電装置は、自動車内での配置用に構成されている。さらに、蓄電池充電装置は、力率補正フィルタを有する第１の段を備え、また当該蓄電池充電装置は、インバーターを有する第２の段を備えている。第１の段は、中間点を介して第２の段と電気的に接続されている。本発明は、自動車用の対応する自動車側蓄電池充電装置を動作させるための方法にも関する。さらに、本発明は、自動車側蓄電池充電装置を備えた自動車用の高電圧搭載電源網にも関する。さらに、本発明は、蓄電池充電装置の使用に関する。
【０００２】
蓄電池充電装置は公知である。本発明は、自動車内に組み込まれた交流電圧用の蓄電池充電装置に関する。この蓄電池充電装置には、通常、自動車の高電圧蓄電池を充電するために自動車外部の交流電圧源が接続される。この高電圧蓄電池は、例えば、自動車のトラクションユニットのエネルギー供給のために用いられる。自動車内に組み込まれた蓄電池充電装置は、ＯＢＣ（On-Board Charger）とも称される。
【０００３】
本発明の課題は、蓄電池充電装置のより豊富な機能的使用を可能にする、蓄電池充電装置、方法、高電圧搭載電源網、ならびに蓄電池充電装置の使用を達成することである。
【０００４】
この課題は、独立請求項による蓄電池充電装置、方法、高電圧搭載電源網、および使用により解決される。
【０００５】
本発明による自動車用の蓄電池充電装置は、自動車内での配置用に構成されている。この蓄電池充電装置は、力率補正フィルタを有する第１の段を備え、さらに蓄電池充電装置は、インバーターを有する第２の段を備える。第１の段は、第２の段に、特に中間点を介してのみ電気的に接続されている。重要な考察として、中間点が、蓄電池充電装置の給電端子に直接電気的に接続されていることが想定されている。この給電端子は、自動車の高電圧搭載電源網に直接電気的に結合するように構成されている。
【０００６】
本発明は、蓄電池充電装置が、整流器としての自身の機能の他に、直流電圧変換器としても使用することができるという認識に基づいている。特に、蓄電池充電装置の第２の段は、直流電圧変換器として使用することができる。
【０００７】
直流電圧変換器としての蓄電池充電装置の使用は、自動車の高電圧搭載電源網において別個の直流電圧変換器を省くことができるため、ここでは有利である。つまり、蓄電池充電装置は、給電端子によって、直流電圧変換器の機能を引き継ぐように構成されている。
【０００８】
直流電圧変換器としての第２の段の使用は、特に有利である。なぜなら、この第２の段が、特に当該第２の段に配置された変圧器もしくはトランスによって、当該第２の段の給電端子と出力端子との間の電気的絶縁を提供するからである。この電気的絶縁により、例えば４００Ｖ側を８００Ｖ側に安全に接続することができるようになる。そのため、例えば給電端子には、４００Ｖの電圧を印加することができ、それに対して出力端子には、８００Ｖの電圧を印加することができる。例えば半導体スイッチの不所望な連続スイッチオンにつながるブレークダウンなどの特定の障害のケースでは、それにより、高電圧搭載電源網にとっての結果は、蓄電池充電装置の第１の段を直流電圧変換のために使用した場合ほど深刻ではない。
【０００９】
給電端子は、特に電気的な直流電圧の給電専用に構成されている。この給電端子は、例えばプラグインコネクタとして構成されてよい。
【００１０】
好適には、中間点は、第２の段のインバーターに直接電気的に接続されていることが想定されている。このインバーターは、特に、第２の電気的な段の第１のインバーターとして構成されており、これにより、該インバーターは、第２の段内で給電端子に関して第２の段のさらなるインバーターの手前および／または第２の段の変圧器の手前に配置されている。中間点は、例えば、第１の段と第２の段との間の接続線路上に配置されてもよいが、第２の段のインバーターに直接配置されてもよい。中間点をインバーターに直接配置することにより、蓄電池充電装置は、より効果的に動作する。なぜなら、より短い線路が給電端子用に必要になり、したがって干渉インダクタンスはより小さくなるからである。
【００１１】
さらに、好適には、第２の段は、中間点とは反対側の第２の段側において出力端子に、特に直接電気的に接続されており、ここで、該第２の段は、中間点と第１の電気的な直流電圧との結合中に、当該第１の電気的な直流電圧とは異なる第２の電気的な電圧を提供するように構成されていることが想定されている。好適には、第２の電気的な段は、変圧器を介して相互に電気的に接続されたインバーターおよび整流器を有する。これらの２つの電力変換器により、第２の段は、第１の電気的な直流電圧の入力のもとで、第２の電気的な直流電圧を出力または提供することが可能である。好適には、蓄電池充電装置は、直流電圧の昇圧のために使用される。それに応じて、第２の電気的な直流電圧は、好適には、第１の電気的な直流電圧よりも高く、特に２倍高い。第１の電気的な直流電圧は、例えば４００Ｖであり得る。それに対して、第２の電気的な直流電圧は、例えば８００Ｖであり得る。
【００１２】
さらに好適には、第１の段は、中間点に関して力率補正フィルタの手前に配置された整流器を有することが想定されている。特に、蓄電池充電装置は、交流電圧蓄電池充電装置として構成されている。つまり、特に、自動車外部の交流電圧源が蓄電池充電装置に接続される。自動車外部の交流電圧源からのこの交流電圧は、最初に第１の段の整流器に供給され、次いで、力率補正フィルタに直接供給される。蓄電池充電装置の第１の段は、直流電圧変換のためには使用しないのが好ましい。なぜなら、第１の段は、変圧器を提供できず、したがって電気的絶縁を提供できないからである。
【００１３】
さらに、好適には、第２の段は、中間点に関してインバーターの後方に配置されたトランスもしくは変圧器を有し、かつ／または第２の段は、中間点に関してインバーターの後方に配置された整流器を有することが想定されている。このトランスにより、中間点と出力端子との間の電気的絶縁が提供される。つまり、蓄電池充電装置は、より安全に動作する。第２の段の整流器により、トランスに作用する交流電圧は、再び直流電圧に変換される。
【００１４】
さらに、好適には、中間点とは反対側の第１の段側は、交流電圧用の充電端子に電気的に接続されており、該交流電圧用の充電端子は、自動車外部の交流電圧源に直接電気的に接続されるように構成されていることが想定されている。充電端子も特に、交流電圧、とりわけ三相交流電圧の多相接続用に、もしくは三相交流端子として構成されている。充電端子は、例えばプラグイン接続部として構成されてよい。自動車外部の交流電圧源は、例えば公共の充電スタンドとして構成されてよい。
【００１５】
さらに、好適には、第１の段および第２の段は、コンデンサによって電気的に接続されており、中間点は、コンデンサと第２の段との間に配置されていることが想定されている。つまり、中間点をコンデンサと第２の段との間に配置することにより、第１の直流電圧は、中間点を第１の段とコンデンサとの間に配置した場合よりも、第２の段のインバーター近傍で給電されるようになる。コンデンサは、特に並列接続されたコンデンサとして、もしくは平滑コンデンサとして構成されている。コンデンサは、アースに導くローパスを形成する。
【００１６】
コンデンサにより、交流電圧成分をアースに導くことができる。
【００１７】
ただし、中間点が第１の段とコンデンサとの間に配置されていることもあり得る。
【００１８】
さらに、好適には、第２の段は３つの相を有し、中間点、ならびに特に出力端子は、３つの相のうちの１つにのみ電気的に接続されていることが想定されている。これにより、第２の段の３つの相のうちの１つだけが直流電圧変換もしくは直流電圧適合化のために使用される。このことは有利である。なぜなら、第２の段の２つもしくは３つの相が直流電圧の適合化のために使用される場合よりも、所要の電気的な接続が少なくなるからである。
【００１９】
しかしながら代替的に、好適には、第２の段が、３つの相を有し、中間点、ならびに特に出力端子は、３つの相のうちの少なくとも２つに電気的に接続されていることが想定されてもよい。中間点を３つの相のうちの少なくとも２つに接続することにより、第２の段の複数の相を電圧適合化または直流電圧適合化のために使用することができるようになる。少なくとも２つの相を使用する利点は、より大きな電力の直流電圧を適合化できることにある。例えば、蓄電池充電装置の第２の段は、中間点が複数の相のうちの１つにのみ電気的に接続されている場合、実質的に３．６ｋＷの直流電力用にだけ設計されている。それに対して、中間点が３つのすべての相に接続される場合の第２の段は、１１ｋＷまでの直流電流用に設計され得る。
【００２０】
本発明による方法では、自動車用の自動車側蓄電池充電装置を動作させる。自動車の高電圧搭載電源網からの第１の電気的な直流電圧が、蓄電池充電装置の給電端子において当該蓄電池充電装置に結合され、特に、中間点を介して蓄電池充電装置の第２の段に直接転送される。第１の電気的な直流電圧は、第２の段において、当該第１の電気的な直流電圧とは異なる第２の電気的な直流電圧に適合化され、特に第２の電気的な直流電圧は、適合化の後、蓄電池充電装置の出力端子に提供される。
【００２１】
好適には、蓄電池充電装置を、自動車の高電圧蓄電池用の交流電圧充電装置としての自身の本来の機能の他に、直流電圧の昇圧のために動作させる。つまり、第１の電気的な直流電圧は、第２の段において第２の電気的な直流電圧まで昇圧される。好適には、第１の電気的な直流電圧は、２倍まで昇圧され、したがって、第２の電気的な直流電圧は、それによって第１の電気的な直流電圧の２倍までの大きさとなる。
【００２２】
さらに好適には、第２の段は、蓄電池充電装置の目標出力電圧に関しても制御可能である。そのため、例えば目標出力電圧を、第２の直流電圧として調整もしくは予め設定することが可能である。この目的のために、第２の段、特に第２の段の整流器を、制御信号に基づいて、目標出力電圧が出力端子から提供されるように制御することができる。
【００２３】
本発明は、自動車用の高電圧搭載電源網にも関する。この高電圧搭載電源網は、本発明による自動車側蓄電池充電装置を備えている。自動車は、好適には乗用車として構成されている。自動車は、例えば純粋な電気自動車として構成されてもよいが、ハイブリッド車両として構成されてもよい。
【００２４】
好適には、蓄電池充電装置の給電端子は、高電圧搭載電源網の給電スイッチに直接電気的に接続されていることが想定されている。したがって、この給電スイッチを介すことにより、蓄電池充電装置の第２の段を、電気的な直流電圧の適合化のために使用すべきかどうかを制御することができる。この給電スイッチが閉じられると、好適には、第１の電気的な直流電圧が第２の段に供給され、次いで、特に第２の段の出力端子から第２の電気的な直流電圧が提供される。給電スイッチは、好適には保護器として構成されている。
【００２５】
さらに、給電スイッチは、好適には、プラスおよびマイナススイッチとして構成されており、そのため、プラスおよびマイナスを同時に遮断することができる。つまり、給電スイッチは、特に全極中断もしくは遮断を可能にする。
【００２６】
さらに、好適には、給電スイッチは、蓄電池充電装置とは反対側の給電スイッチ側で、特に、自動車外部の直流電圧源に直接電気的に結合可能である直流充電線路に直接電気的に接続されていることが想定されている。給電スイッチを直流充電線路に結合することにより、例えば、直流電圧源からの直流電流を多大な労力なしで直接給電端子に導くことができる。このことは、直流電圧源が例えば４００Ｖしか提供しないが、高電圧搭載電源網では例えば高電圧負荷用に８００Ｖが必要である場合に有利である。
【００２７】
さらに、好適には、給電スイッチは、蓄電池充電装置とは反対側の給電スイッチ側で、高電圧搭載電源網の高電圧蓄電池に特に直接および／または特にスイッチなしで電気的に接続されていることが想定されている。
【００２８】
さらに、好適には、給電スイッチは、蓄電池充電装置とは反対側の給電スイッチ側で、高電圧搭載電源網の少なくとも１つの高電圧負荷を有する高電圧搭載電源網分岐に特に直接および／または特にスイッチなしで電気的に接続されていることが想定されている。高電圧負荷は、例えば加熱ユニットまたは空調コンプレッサとして構成されてよい。特に、高電圧搭載電源網分岐は、安定化されていない搭載電源網分岐として構成されている。
【００２９】
さらに、本発明は、蓄電池充電装置の中間点に直接接続された蓄電池充電装置の給電端子を介して蓄電池充電装置に給電される直流電圧を変換するための直流電圧変換器としての自動車側蓄電池充電装置の第２の段の使用にも関しており、ここで、中間点は、蓄電池充電装置の第２の段と第１の段との間に配置されている。
【００３０】
交流電圧充電装置として構成された自動車の蓄電池充電装置を、直流電圧適合化もしくは直流電圧変換のために使用する場合、自動車の高電圧搭載電源網からの第１の電気的な直流電圧は、特に、蓄電池充電装置の第２の段に給電されるだけであり、第２の電気的な直流電圧は、蓄電池充電装置から、特に第２の段から出力される。
【００３１】
蓄電池充電装置の好適な実施形態は、方法および高電圧搭載電源網の好適な実施形態と見なすべきである。蓄電池充電装置および高電圧搭載電源網の具体的なコンポーネントは、各方法ステップを実施するように構成されている。
【００３２】
直接電気的に接続されているとは、本明細書では、特に電圧レベルの変化なしで、または電流タイプの変更なしで接続されていることを意味する。さらに、直接電気的に接続されているとは、特にこの接続が、スイッチなし、変換器なしで、インバーターなしで存在することを意味する。
【００３３】
本発明のさらなる特徴は、特許請求の範囲、図面、および図面の説明から明らかとなる。上記の説明で言及した特徴および特徴の組み合わせ、ならびに以下の図面の説明で言及する、かつ／または図面に単独で示す特徴および特徴の組み合わせは、本発明の権利範囲から逸脱することなく、それぞれの与えられた組み合わせにおいてだけでなく、その他の組み合わせにおいても、あるいは単独でも使用可能である。
【００３４】
以下では本発明の実施例を、概略図に基づきより詳細に説明する。
【図面の簡単な説明】
【００３５】
【図１】蓄電池充電装置を備えた本発明による高電圧搭載電源網の一実施例を伴う自動車の概略的平面図
【図２】蓄電池充電装置を備えた高電圧搭載電源網のさらなる実施例の概略図
【図３】蓄電池充電装置の給電スイッチが高電圧搭載電源網の高電圧蓄電池に直接電気的に接続されている蓄電池充電装置を備えた高電圧搭載電源網のさらなる実施例の概略図
【図４】給電スイッチが高電圧搭載電源網の高電圧搭載電源網分岐に直接電気的に接続されている、蓄電池充電装置を備えた高電圧搭載電源網のさらなる実施例の概略図
【図５】蓄電池充電装置が第３の段において直流電圧変換器を有している、蓄電池充電装置を備えた高電圧搭載電源網の概略図
【００３６】
図面中、同一または機能的に同一の要素には、同一の参照符号が付される。
【００３７】
図１は、高電圧搭載電源網２を備えた自動車１の概略的平面図を示す。高電圧搭載電源網２は、蓄電池充電装置３を有する。この蓄電池充電装置３は、自動車内部の交流電圧蓄電池充電装置として構成されている。この目的のために、蓄電池充電装置３は、充電端子４を有する。この充電端子４は、それに対して、整流器なしで交流電圧源５に直接電気的に接続されるように構成されている。交流電圧源５は、自動車外部に配置され、例えば公共の充電スタンドとして構成されてもよいが、個人的な家屋用端子として構成されてもよい。
【００３８】
さらに、高電圧搭載電源網２は、高電圧蓄電池６を有する。この高電圧蓄電池６は、例えば、リチウムイオン蓄電池として構成されてよい。好適には、高電圧蓄電池６は、４００Ｖまたは８００Ｖの公称電圧で動作することができる切り替え可能な蓄電池として構成されている。そのため、高電圧蓄電池６は、例えば、並列または直列に接続することができる２つの蓄電池ユニットを有することができる。したがって、蓄電池ユニットの並列接続により、高電圧蓄電池６は、例えば４００Ｖで動作する。代替的に、高電圧蓄電池６を、蓄電池ユニットの直列接続により８００Ｖで動作させることができる。
【００３９】
この実施例によれば、高電圧搭載電源網２は、直流電圧充電端子７も有する。この直流電圧充電端子７は、自動車外部の直流電圧源８に直接電気的に接続させるように構成されている。直流電圧充電端子７は、特に電圧適合化なしで直流電圧源８に接続される。直流電圧源８は、例えば公共の直流電圧充電スタンドとして構成されてよい。
【００４０】
さらに、この実施例による高電圧搭載電源網２は、トラクションインバーター９およびトラクションユニット１０も有する。トラクションユニット１０は、特に自動車１の主駆動ユニットとして構成されている。
【００４１】
図２は、蓄電池充電装置３の一実施例を高電圧搭載電源網２の一実施例と伴に示す。
【００４２】
蓄電池充電装置３は、第１の段１１および第２の段１２を有する。第１の段１１は、この実施例によれば、整流器１３および力率補正フィルタ１４を含む。この整流器１３は、蓄電池充電装置３の充電端子４に関して力率補正フィルタ１４の手前に配置されている。
【００４３】
蓄電池充電装置３の第２の段１２は、インバーター１５、トランス１６、および整流器１７を有する。
【００４４】
第１の段１１と第２の段１２との間には、コンデンサ１８が配置されている。このコンデンサ１８を介して、第１の段１１と第２の段１２とが相互に電気的に接続されている。コンデンサ１８は、並列接続されたコンデンサもしくは平滑コンデンサとして構成されており、本明細書では箱として象徴的に示されている。
【００４５】
充電端子４とは反対側の蓄電池充電装置３側により、蓄電池充電装置３は、出力端子１９を有する。この出力端子１９は、第２の段１２の整流器１７に直接電気的に接続されている。
【００４６】
さらに、第１の段１１は、中間点２０を介して第２の段１２に電気的に接続されている。この中間点２０は、この実施例によれば、コンデンサ１８と第２の段１２との間に配置されている。したがって、特にコンデンサ１８、インバーター１５、および給電端子２１が、中間点２０に直接接続されている。給電端子２１は、例えばプラグイン接続部として構成されてよく、この給電端子２１は、高電圧搭載電源網２から電気的な直流電圧が供給されるように、もしくは高電圧搭載電源網２に直接、電圧適合化なしで当該高電圧搭載電源網２に電気的に結合されるように構成されている。中間点２０から見て、給電端子の後方には給電スイッチ２２が続いている。この給電スイッチ２２は、給電端子２１を介した直流電流の給電を中断させるかまたは可能にもしくは解除させるように構成されている。
【００４７】
給電スイッチ２２が閉じている場合、給電端子２１を介して第１の電気的な直流電圧２３が蓄電池充電装置３に給電される。次いで、第１の電気的な直流電圧２３は、第２の段１２によって適合化され、特に昇圧され、最終的に出力端子１９から第２の電気的な直流電圧２４として提供される。つまり、これにより、第２の段１２は、高電圧搭載電源網２からの直流電圧の適合化のために使用される。この直流電圧の適合化は、例えば直流電圧源８が、例えばトラクションインバーター９、トラクションユニット１０、または高電圧蓄電池６にとって適さない電圧しか提供しない場合に必要となり得る。しかしながら、高電圧蓄電池６が、トラクションインバーター９またはトラクションユニット１０の定格電圧設計に対応する直流電圧を提供できないこともあり得る。そのため、高電圧蓄電池６は、例えば直列または並列に接続されている、例えば２つの蓄電池ユニットによって構成されてよい。例えば、２つの蓄電池ユニットのうちの１つが故障した場合、高電圧蓄電池６は、それにもかかわらず、もう１つの蓄電池ユニットによってまだ動作することができるが、その後は、例えば８００Ｖの代わりに４００Ｖしか提供できなくなる。
【００４８】
高電圧搭載電源網２は、この実施例によれば、低電圧直流電圧変換器２５も有する。この低電圧直流電圧変換器２５は、高電圧搭載電源網２の直流電圧の降圧を実施し、そのため、低電圧負荷２６に低電圧２７を供給することができる。この低電圧２７は、特に１２Ｖである。
【００４９】
さらに、この実施例による高電圧搭載電源網２は、第１のスイッチ２８および第２のスイッチ２９を有する。第１のスイッチ２８は、出力端子１９と高電圧蓄電池６との間に配置されている。それに対して、第２のスイッチ２９は、給電スイッチ２２と高電圧蓄電池６との間に配置されている。第１のスイッチ２８により、トラクションインバーター９と高電圧蓄電池６との間の直接接続を中断することができる。次いで、この高電圧蓄電池６からトラクションインバーター９への接続は、例えば、閉じた第２のスイッチ２９、閉じた給電スイッチ２２、および第２の段１２を介して形成することができる。
【００５０】
第２のスイッチ２９を介して、直流電圧源８と高電圧蓄電池６との間の直接接続を中断することができる。ここにおいてこの接続は、代替的に例えば、閉じた給電スイッチ２２、第２の段１２、および閉じた第１のスイッチ２８を介して形成することができる。このことは、例えば、高電圧蓄電池６が８００Ｖで動作されるのに対して、直流電圧源８は４００Ｖしか提供できない場合を想定している。
【００５１】
蓄電池充電装置３の第１の段１１および第２の段１２は、例えば、共通の１つのハウジング内に配置されてもよいが、それぞれ別個にあるいは異なるサブハウジング内に配置されてもよい。充電端子４も、例えば、蓄電池充電装置３のハウジング内に配置されてもよいが、当該ハウジング外に配置されてもよく、したがって、電力線により第１の段１１に電気的に接続されてもよい。給電端子２１または出力端子１９も、例えば、蓄電池充電装置３のハウジング外またはハウジング内に配置されてもよい。給電スイッチ２２も、例えば、蓄電池充電装置３のハウジング外またはハウジング内に配置されてもよい。蓄電池充電装置３は、例えば、ハウジングなしで構成されてもよいし、あるいは各個別部品毎に別個のハウジングを有してもよい。ただし、好適には、蓄電池充電装置３は、コンパクトに構成されており、そのため、蓄電池充電装置３の構成部品は、相互に可及的に近傍にかつ省スペース的に配置されている。
【００５２】
この実施例によれば、交流電圧源５は、交流電圧スイッチ３０を介して高電圧搭載電源網２に接続可能である。直流電圧源８も、この実施例によれば、直流電圧スイッチ３１を介して高電圧搭載電源網２に電気的に接続可能である。
【００５３】
つまり、図２によれば、参照符号３の付されたボックスは、蓄電池充電装置３の仕切りまたは特にハウジングとして見ることができ、それに対して、残りの実線は、電気的な線路として見ることができる。これらの電気的な線路は、特に多相に構成されている。
【００５４】
図３は、第１の搭載電源網分岐３２および第２の搭載電源網分岐３３を有する高電圧搭載電源網２のさらなる実施例を示す。第１の搭載電源網分岐３２は、この実施例によれば、加熱ユニット３４および空調コンプレッサ３５を含む。第１の搭載電源網分岐３２は、さらなる高電圧負荷を有し得る。第２の搭載電源網分岐３３は、低電圧直流電圧変換器２５と低電圧負荷２６とを含む。この第２の搭載電源網分岐３３も、さらに低電圧負荷を有し得る。
【００５５】
この実施例によれば、第１の搭載電源網分岐３２は、安定化されていない搭載電源網分岐として構成され、第２の搭載電源網分岐３３は安定化された搭載電源網分岐として構成されている。１つの搭載電源網は、当該搭載電源網にとって、接続された直流電圧変換器を用いて、高電圧蓄電池６の公称電圧から外れた電圧を可変に設定できる場合には安定化されている。
【００５６】
この実施例によれば、第２の搭載電源網分岐３３、すなわち安定化された搭載電源網分岐は、充電端子４に電気的に接続されていないことが想定されている。特に、中間点２０は、第２の搭載電源網分岐３３に直接電気的に接続されていないことが想定されている。この目的のために、第２の搭載電源網分岐３３は、第３のスイッチ３６を介して第１の搭載電源網分岐３２から分離可能である。つまり、第２の搭載電源網分岐３３は、第３のスイッチ３６によって高電圧搭載電源網２から分離することができる。このことは、給電スイッチ２２と第１のスイッチ２８とが閉じられている場合に特に有利である。したがって、第３のスイッチ３６が開かれることにより、中間点２０と第２の搭載電源網分岐３３との間の直接の電気的な接続が中断される。
【００５７】
つまり、この実施例によれば、給電スイッチ２２は、高電圧蓄電池６に直接およびスイッチなしで電気的に接続されている。
【００５８】
図４は、高電圧搭載電源網２のさらなる実施例を示す。この実施例によれば、第２の段１２は、３つの相を有しており、中間点２０および好適には出力側１９も、第２の段１２の３つの相のうちの１つの相にのみ電気的に接続されている。
【００５９】
第２の段１２では、当該第２の段１２のインバーター１５、トランス１６、および整流器１７は、この実施例によれば３つの相のうちのそれぞれ１つに対して存在している。
【００６０】
さらに、この実施例によれば、低電圧直流電圧変換器２５には、低電圧蓄電池３７が接続されている。この低電圧蓄電池３７は、好適には１２Ｖ蓄電池として構成されている。
【００６１】
この実施例による高電圧搭載電源網２は、第４のスイッチ３８と第５のスイッチ３９とを有する。第４のスイッチ３８は、低電圧直流電圧変換器２５と高電圧蓄電池６との間の直接の電気的な接続を中断することができるように高電圧搭載電源網２に配置されている。それに対して、第５のスイッチ３９は、出力端子１９と低電圧直流電圧変換器２５との間の直接の電気的な接続を中断することができるように、高電圧搭載電源網２に配置されている。
【００６２】
図５は、高電圧搭載電源網２のさらなる実施例を示す。蓄電池充電装置３は、好適度の比較的低い実施形態によれば、第３の段４１を有する。この第３の段４１は、第２の段１２と出力端子１９との間に配置されている。蓄電池充電装置３の第３の段４１は、この実施例によれば、直流電圧変換器４０を有する。この直流電圧変換器４０は、この実施例によれば、第２の段１２の整流器１７と出力端子１９との間に配置されている。この実施例によれば、第２の段１２と第３の段４１との間に接続点４２が配置されている。したがって、第２の段１２および第３の段４１は、この接続点４２を介してのみ電気的に接続されている。第１の電気的な直流電圧２３から第２の電気的な直流電圧２４への電圧適合化は、この実施例によれば、第３の段４１の直流電圧変換器４０によってのみ実施される。
【符号の説明】
【００６３】
１      自動車
２      高電圧搭載電源網
３      蓄電池充電装置
４      充電端子
５      交流電圧源
６      高電圧蓄電池
７      直流電圧充電端子
８      直流電圧源
９      トラクションインバーター
１０    トラクションユニット
１１    第１の段
１２    第２の段
１３    第１の段の整流器
１４    力率補正フィルタ
１５    インバーター
１６    トランス
１７    第２の段の整流器
１８    コンデンサ
１９    出力端子
２０    中間点
２１    給電端子
２２    給電スイッチ
２３    第１の電気的な直流電圧
２４    第２の電気的な直流電圧
２５    低電圧直流電圧変換器
２６    低電圧負荷
２７    低電圧
２８    第１のスイッチ
２９    第２のスイッチ
３０    交流電圧スイッチ
３１    直流電圧スイッチ
３２    第１の搭載電源網分岐
３３    第２の搭載電源網分岐
３４    加熱ユニット
３５    空調コンプレッサ
３６    第３のスイッチ
３７    低電圧蓄電池
３８    第４のスイッチ
３９    第５のスイッチ
４０    直流電圧変換器
４１    第３の段
４２    接続点
【図１】
2020529823.tif 000003
【図２】
2020529823.tif 000004
【図３】
2020529823.tif 000005
【図４】
2020529823.tif 000006
【図５】
2020529823.tif 000007
【国際調査報告】
2020529823.tif 000008
2020529823.tif 000009
2020529823.tif 000010
2020529823.tif 000011